(57)【要約】  【課題】地震の際に学童に適切な避難場所を与える耐震用学童机を提供する。  【解決手段】４本の脚支柱１１ａ、１１ａ、１１ｂ、１１ｂに天板３を支持させてなるものにおいて、後方に位置する左右の脚支柱１１ｂ、１１ｂ間、及び、左右に位置する前後の脚支柱１１ａ、１１ｂ間を、それぞれ互いに別体をなすフロントパネル１２及びサイドパネル１３を介して連結し、更に、左右に位置する前後の脚支柱１１ａ、１１ｂ間を、天板３の下に潜り込んだ者が把持可能な位置に設けた掴まり手段１４を介して連結することとした。  【選択図】図２
2006158940.tif 000002
【特許請求の範囲】
【請求項１】
４本の脚支柱に天板を支持させてなるものにおいて、後方に位置する左右の脚支柱間、及び、左右に位置する前後の脚支柱間を、それぞれ互いに別体をなす幕板を介して連結し、更に、前記左右に位置する前後の脚支柱間を、天板下に潜り込んだ者が把持可能な位置に設けた掴まり手段を介して連結してなることを特徴とする耐震用学童机。
【請求項２】
掴まり手段は、前後に略水平に延びる棒状のものである請求項１記載の耐震用学童机。
【請求項３】
幕板の下端が木口を隠蔽するように折り曲げられている請求項１又は２記載の耐震用学童机。
【請求項４】
幕板に、学童の爪が入り込まない程度の大きさのパンチング孔を多数設けている請求項１〜３記載の耐震用学童机。
【請求項５】
脚支柱及び幕板を金属製のものとし、溶接継手を介して相互に連結している請求項１〜４記載の耐震用学童机。
【請求項６】
脚支柱の下端部に設けられ下端部に脚支柱の内径よりも大径の拡開部を有する取付部材及びこの取付部材に取り付けるアジャスタ本体を備えたアジャスタを設けているとともに、脚支柱に掛かる衝撃を吸収するクラッシャブルゾーンとして前記取付部材の拡開部を機能させるべく、該拡開部の剛性を脚支柱よりも低くしている請求項１〜５記載の耐震用学童机。
【請求項７】
前方に位置する脚支柱ないし後方に位置する脚支柱のいずれかにキャスタを設けている請求項１〜６記載の耐震用学童机。
【請求項８】
前記キャスタに、脚支柱の下端部に設けられ下端部に脚支柱の内径よりも大径の拡開部を有する取付部材と、この取付部材に取り付けるキャスタ本体とを備えているとともに、脚支柱に掛かる衝撃を吸収するクラッシャブルゾーンとして前記取付部材の拡開部を機能させるべく、該拡開部の剛性を脚支柱よりも低くしている請求項７記載の耐震用学童机。
【請求項９】
脚支柱に、天板に接続させる上要素と、床面から起立させる下要素と、前記上要素及び前記下要素の相対位置を変更して天板の高さ位置を変更させる天板高さ変更機構とを備えている請求項１〜８記載の耐震用学童机。
【発明の詳細な説明】
【技術分野】
【０００１】
本発明は、地震の際に学童に適切な避難場所を与える耐震用学童机に関するものである。
【背景技術】
【０００２】
従来より、学校の教室における授業中に地震に遭遇した際には、学童はまず座っている机の下に避難することが安全対策として説明され、また、地震を想定した初動時の避難訓練の際にも、このことが訓練として実行されている。
【０００３】
このため、学童机は簡単には圧潰しないような強度を有するものでなければならず、机の下に避難した学童の安全性をも十分に配慮したものでなければならない。
【０００４】
そこで、特許文献１に示すように、骨組を金属製の材料で構成し、上部に天板と棚板を取り付けると共に、脚部の回りの全部、或いは一部をその前方を除いて多数のパンチング孔を設けた金属製の保護板で覆った耐震用学童机や、骨組を金属製の材料で構成し、上部に天板と棚板を取り付けると共に、脚部の回りの全部、或いは一部をその前方を除いて保護板で囲うとともに、天板或いは棚板の下方に掴まり手段を設けた耐震用学童机が案出されている。
【特許文献１】特許第２７０４７１９号公報
【発明の開示】
【発明が解決しようとする課題】
【０００５】
しかしながら、このものは、４本の脚部を連結部材を介して連結するとともに、その上部両側部と後部上方に枠体を囲設して机全体の強度を確保し、その上で脚部の回りに保護板を設けるようにしたものであるため、枠体や連結部材に起因して全体が重厚になることが避け難いという欠点がある。
【０００６】
また、掴まり手段が斜めに配置されているため、掴まり易い体勢が同文献に図示されるような体勢に限定されるという難点がある。
【０００７】
さらに、幕板の木口に学童の身体の一部が触れると危険であることから、図示の学童机において、幕板下端にフラットバーを溶接しておく方策も考えられるが、フラットバー自体は大きな厚みを持たないため、身体の一部がフラットバーに強く当たると痛みを感じ、安全とは言えない。また、単にこのような構造では机全体の強度には直接関連しないため、木口対策が同時に強度対策となるような構成を採用することが望まれる。
【０００８】
さらにまた、従来のパンチング孔はφ７．５ｍｍ程度のものであるため、日常生活における使用時、地震時等にとっさに机にしがみつく際、学童の爪が入り込んで引っ掛かり易いという問題もある。
【０００９】
本発明は、これらの課題を一挙に解決した耐震用学童机を提供することを目的としている。
【課題を解決するための手段】
【００１０】
本発明は、上記の目的を達成するために、次のような手段を講じたものである。
【００１１】
すなわち、本発明の耐震用学童机は、４本の脚支柱に天板を支持させてなるものにおいて、後方に位置する左右の脚支柱間、及び、左右に位置する前後の脚支柱間を、それぞれ互いに別体をなす幕板を介して連結し、更に、前記左右に位置する前後の脚支柱間を、天板下に潜り込んだ者が把持可能な位置に設けた掴まり手段を介して連結したものである。
【００１２】
このようなものであると、枠体等に頼らずとも、飛散物から学童を保護する幕板や揺れに対して体勢を維持するために必要な掴まり手段等の耐震に必要な要素部品のみでも、机全体の強度を有効に確保することができる。
【００１３】
掴まり手段は、前後に略水平に延びる棒状のものであることが望ましい。
【００１４】
幕板の構造としては、その下端が木口を隠蔽するように折り曲げられているものが好ましい。
【００１５】
あるいは、幕板に、学童の爪が入り込まない程度の大きさのパンチング孔を多数設けているものも有効である。
【００１６】
机全体に確実に高い強度を得るためには、脚支柱及び幕板を金属製のものとし、溶接継手を介して相互に連結しておくことが望ましい。
【００１７】
脚支柱の圧潰を防ぎ、退避空間を有効に確保できるようにするためには、脚支柱の下端部に設けられ下端部に脚支柱の内径よりも大径の拡開部を有する取付部材及びこの取付部材に取り付けるアジャスタ本体を備えたアジャスタを設けているとともに、脚支柱に掛かる衝撃を吸収するクラッシャブルゾーンとして前記取付部材の拡開部を機能させるべく、該拡開部の剛性を脚支柱よりも低くしているものが好ましい。
【００１８】
幕板や掴まり手段を設けることにより、机全体の重量は増加するが、このような机の移動を容易に行えるようにするためには、前方に位置する脚支柱ないし後方に位置する脚支柱のいずれかにキャスタを設けているものが望ましい。
【００１９】
このようなキャスタを設けた机において、脚支柱の圧潰を防ぎ、退避空間を有効に確保できるようにしつつ、机の移動を容易に行えるようにするためには、脚支柱の下端部に設けられ下端部に脚支柱の内径よりも大径の拡開部を有する取付部材及びこの取付部材に取り付けるアジャスタ本体を備えたアジャスタを設けているとともに、脚支柱に掛かる衝撃を吸収するクラッシャブルゾーンとして前記取付部材の拡開部を機能させるべく、該拡開部の剛性を脚支柱よりも低くしているものが好ましい。
【００２０】
学童の成長にあわせて適切な天板の高さ位置の机を提供できるようにするためには、脚脚支柱に、天板に接続させる上要素と、床面から起立させる下要素と、前記上要素及び前記下要素の相対位置を変更して天板の高さ位置を変更させる天板高さ変更機構とを備えているものが望ましい。
【発明の効果】
【００２１】
本発明は、以上のような構成であるから、地震の際に学童に適切な避難場所を与える耐震用学童机を有効に提供することが可能となる。
【発明を実施するための最良の形態】
【００２２】
以下、本発明の一実施形態を、図面を参照して説明する。
【００２３】
この実施形態の耐震用学童机は、図１〜図６に示すように、脚構造体１に棚板２及び天板３を支持させたものである。脚構造体１は、４本の脚支柱１１ａ、１１ａ、１１ｂ、１１ｂを具備し、後方に位置する左右の脚支柱１１ｂ、１１ｂ間、及び、左右に位置する前後の脚支柱１１ａ、１１ｂ間を、それぞれ互いに別体をなす幕板たるフロントパネル１２及びサイドパネル１３を介して連結し、更に、前記左右に位置する前後の脚支柱１１ａ、１１ｂ間を、天板２の下に潜り込んだ者が把持可能な掴まり手段１４を介して連結している。
【００２４】
具体的に説明すると、脚支柱１１ａ、１１ｂは、金属製の丸パイプ素材からなるもので、下端をアジャスタ１１ｃに高さ調整可能に支持されている。
【００２５】
フロントパネル１２及びサイドパネル１３は金属製のもので、パネル面の両端に位置する起立縁部に脚支柱１１ａ、１１ｂの外周に沿って部分的に添接する折り曲げ片１２ａ、１３ａ（図３、図６参照）を形成し、この折り曲げ片１２ａ、１３ａを脚支柱１１ａ、１１ｂに添接させた状態で、折り曲げ片１２ａ、１３ａと脚支柱１１ａ、１１ｂの間の適宜部位を溶接継手Ｘ１を介して剛接している。これらのパネル１２、１３は、パネル面の上端に水平な折り曲げ片１２ｂ、１３ｂが形成され、この折り曲げ片１２ｂ、１３ｂにねじ挿通孔１２ｃ、１３ｃを設けるとともに、パネル面の下端部に木口を隠蔽するように内方にＲ形状に折り曲げた折り曲げ部１２ｄ、１３ｄを形成したものである。パネル１２、１３のパネル面には、学童の爪が入り込まない程度に細径な大きさのパンチング孔１２ｅ、１３ｅが多数設けてあり、その孔径は最大７ｍｍ以下とされている。サイドパネル１３には荷物等を掛けるためのフック１７が取り付けてある。
【００２６】
掴まり手段１４は、前後に略水平に延びる直径１５ｍｍ〜３０ｍｍ程度の丸パイプ素材をグリップ状にしたものである。具体的には、一端を後側の脚支柱１１ｂに溶接継手Ｘ２を介して剛接し他端を斜め前方に略水平に延出させた後把持部１４ａと、一端を前側の脚支柱１１ａに溶接継手Ｘ２を介して剛接し他端を斜め後方に略水平に延出させた前把持部１４ｂと、両把持部の他端間に位置する略水平な中間把持部１４ｃとからなる。
【００２７】
また、前記脚構造体１には、左右に位置する前後の脚支柱１１ａ、１１ｂ間に、足掛けとしての機能を兼ねる金属製の補強部材１５が溶接継手Ｘ３を介して架橋してある。
【００２８】
更に、前方に位置する左右の脚支柱１１ａ、１１ａには、棚支持部材としての機能を兼ねる金属製の補強部材１６が溶接継手Ｘ４を介して架橋してある。
【００２９】
以上のように構成される脚構造体１に、本実施形態は棚板２及び天板３を取り付けている。
【００３０】
棚板２は、底板２１、左右の側板２２及び後板２３を有し、前方及び上方に開放された金属製のもので、前端側の下面に前記補強部材１６を受け入れる凹み２４を設け、また、側板２２及び後板２３の上端に水平な折り曲げ片２２ａ、２３ａを形成して、その折り曲げ片２２ａ、２３ａにねじ挿通孔２２ｂ、２３ｂを設けている。底板２１等には、強度を高めるためにリブ等が必要に応じて設けられる。
【００３１】
一方、天板３は、メラミン化粧板貼りのゴム合板製のもので、後縁３１及び側縁３２が前記フロントパネル１２及びサイドパネル１３を越えて後方及び側方にオーバーハングする平面形状をなしている。
【００３２】
そして、棚板２を、凹み２４を補強部材１６に支持させて脚構造体１上に位置づけ、その上に天板３を、各パネル１２、１３の折り曲げ片１２ｂ、１３ｂ上に載置して、サイドパネル１３の折り曲げ片１３ｂに設けたねじ挿通孔１３ｃ及び棚板２の側方に位置する折り曲げ片２２ａに設けたねじ挿通孔２２ｂに図示しないねじを下方から挿通して天板３の下面に共締めするとともに、棚板２の後方に位置する折り曲げ片２３ａに設けたねじ挿通孔２３ｂに図示しないねじを下方から挿通して天板３の下面に止着し、またフロントパネル１２の折り曲げ片１２ｂに設けたねじ挿通孔１２ｃに図示しないねじを下方から挿通して天板３の下面に止着することにより、脚構造体１に棚板２及び天板３を取り付けている。
【００３３】
以上のように構成される本実施形態の耐震用学童机は、掴まり手段１４を具備することによって、地震時に机の下に避難した学童が地震の揺れによって身体を机の下から投げ出され、或いは机が転倒しないように掴まり手段１４に掴まって支えることができ、また、パネル１２、１３に設けたパンチング孔１２ｅ、１３ｅを通して周囲の様子を覗い、或いはパネル１２、１３の存在によって側方より天板３の下に飛び込んで来ようとする飛散物から身を守ることができるのである。
【００３４】
そして、本実施形態の耐震用学童机は、４本の脚支柱１１ａ、１１ａ、１１ｂ、１１ｂに天板３を支持させるにあたり、後方に位置する左右の脚支柱１１ｂ、１１ｂ間、及び、左右に位置する前後の脚支柱１１ａ、１１ｂ間を、それぞれ互いに別体をなすフロントパネル１２及びサイドパネル１３を介して連結し、更に、左右に位置する前後の脚支柱１１ａ、１１ｂ間を、天板３の下に潜り込んだ者が把持可能な位置に設けた掴まり手段１４を介して連結したものである。
【００３５】
このように構成することにより、枠体等に頼らずとも、飛散物から学童を保護するパネル１２、１３や揺れに対して体勢を維持するために必要な掴まり手段１４等、耐震に必要な要素部品のみで脚構造体１ひいては机全体の強度を有効に確保することができ、従来に比べて耐震機能を損なわずに簡素で軽量な机を有効に提供することが可能となる。
【００３６】
特に、掴まり手段１４が略水平に配置してあり、地震で身体の体勢に変化が生じる前後において学童から掴まり手段１４への相対高さは変わらないため、学童は掴まり手段１４全体をうまく利用して安定に掴まり続けることができる。すなわち、特に図示すべき最適な体勢というものはなく、むしろ様々な体勢で掴まり手段１４を有効に活用して身を守ることが可能となる。
【００３７】
また、パネル１２、１３は、木口を隠蔽するようにパネル面の下端を折り曲げており、折り曲げ部１２ｄ、１３ｄを比較的大きく滑らかに膨出させているので、激しく揺さぶられて身体がパネル１２、１３の下端に衝突しても折り曲げ部１２ｄ、１３ｄにおいて衝撃を有効に和らげることができる。また、折り曲げ部１２ｄ、１３ｄがリブとして機能するため、パネル１２，１３ひいては机全体の強度をより有効に向上を図ることができ、木口を閉じた形状とすることで安全性も確保することができる。
【００３８】
また、パネル１２、１３に、学童の爪が入り込まない程度に細径なパンチング孔１２ｅ、１３ｅを多数設けているため、地震時に机の下に避難した際、パンチング孔１２ｅ、１３ｅを通して周囲を覗うことができる上に、パンチング孔１２ｅ、１３ｅが小さいため、爪が引っ掛かる等の不都合も有効に回避することが可能となる。
【００３９】
特に、脚支柱１１ａ、１１ｂ及びパネル１２、１３を金属製のものとし、溶接継手Ｘ１を介して相互に連結しているため、脚構造体１ひいては机全体に高い強度を得ることが可能となる。
【００４０】
なお、各部の具体的構成は、上述した実施形態のみに限定されるものではない。
【００４１】
例えば、アジャスタ１１ｃは、図７に示すような構造にしておくことが望ましい。このものは、脚支柱１１ａ、１１ｂの下端中空部に圧入する取付部材たる樹脂製のめねじ部材１１０を、下端に脚支柱１１ａ、１１ｂの内径よりも大径な拡開部１１０ａを有するものにし、このめねじ部材１１０にアジャスタ本体１１１のねじ軸１１１ａを螺合させて使用するようにしたものである。このようにすると、地震時に天板３に大きな衝撃が掛かり、床からの反力がめねじ部材１１０に加わった場合、拡開部１１０ａが樹脂であると、強い衝撃力が加わると拡開部１１０ａが変形或いは破損しながらめねじ部材１１０が脚支柱１１ａ、１１ｂ内に没入し、このとき脚支柱１１ａ、１１ｂに掛かる衝撃を吸収することができる。すなわち、拡開部１１０ａがクラッシャブルゾーンとして機能することで、脚支柱１１ａ、１１ｂに過大な衝撃力が掛かることを防ぎ、この結果、脚支柱１１ａ、１１ｂが圧潰されないようになり、退避空間を有効に確保することができる。なお、下端に脚支柱１１ａの内径よりも大径な拡開部及び下方に延伸するねじ軸を有する取付部材を脚支柱１１ａの下端に圧入するとともに、アジャスタ本体の上端にめねじ孔を設けて前記ねじ軸をこのめねじ孔に螺着する構成を採用してももちろんよい。
【００４２】
また、図８に斜め後上方から見た全体斜視図、図９に正面図、図１０に左側面図、図１１に脚支柱の要部の縦断面図をそれぞれ示すように、上述した実施形態に係る脚支柱１１に代えて、天板３に接続させる上要素Ａ１１１と、床面から起立させる下要素Ａ１１２と、前記上要素及び前記下要素の相対位置を変更して天板３の高さ位置を変更させる天板高さ変更機構Ａ１１３とを備える脚支柱Ａ１１を採用してもよい。なお前方に位置する左右の脚支柱には符号Ａ１１ａ、Ａ１１ａ、後方に位置する左右の脚支柱には符号Ａ１１ｂ、Ａ１１ｂをそれぞれ付している。
【００４３】
具体的には、上要素Ａ１１１は、上述した実施形態における脚支柱１１とほぼ同様の基本構成を有し、長さ寸法は上述した実施形態における脚支柱１１よりも小さい。
【００４４】
一方、下要素Ａ１１２は、前記上要素Ａ１１１の内径よりもやや小さい外径を有し前記上要素の内部に挿入可能な挿入部Ａ１１２ａと、この挿入部の下方に設けられ、前記上要素の外径と略同一の外径を有する基部Ａ１１２ｂと、この基部Ａ１１２ｂの下端部に設けられるアジャスタＡ１１ｃとを具備する。なお、本実施形態では、前後の下要素Ａ１１２間に、上述した実施形態と全く同様の足掛けとしての機能を兼ねる金属製の補強部材１５が溶接継手Ｘ３を介して架橋してある。
【００４５】
そして、前記天板高さ変更機構Ａ１１３は、前記図１１に示すように、上要素Ａ１１１の下端部に、高さ方向に所定距離離間させて２箇所に設けたねじ挿通孔Ａ１１１ｘと、下要素Ａ１１２の挿入部Ａ１１２ａに高さ方向に所定距離ｄずつ離間させて３箇所以上に設けためねじ孔Ａ１１２ｘと、前記ねじ挿通孔Ａ１１１ｘを通過し前記めねじ孔Ａ１１２ｘに螺着するおねじ部材Ｂ１とを利用して形成している。なお、前記めねじ孔Ａ１１２ｘは、図１２に脚支柱Ａ１１の要部の横断面図を示すように、外部から目立たないようにして見栄えを整えるようにすべく、脚支柱Ａ１１の中心からめねじ孔Ａ１１２ｘの中心に向かう線Ｌ１が天板下方の空間に向かうようにしているとともに、めねじ孔のＡ１１２ｘの中心を通る水平な平面上において前記線Ｌ１と隣接する脚支柱に向かう線Ｌ２とのなす角度θを４５度に設定している。加えて、本実施形態では、上要素Ａ１１１の下端に樹脂製でリング状の第１当接部材Ａ１１４を取り付けるようにしていて、この第１当接部材Ａ１１４が下要素Ａ１１２に当接するようにしている。また、下要素Ａ１１２の上端にも樹脂製でリング状の第２当接部材Ａ１１５を取り付けるようにしていて、この第２当接部材Ａ１１５が上要素Ａ１１１に当接するようにしている。
【００４６】
なお、天板高さ変更機構は、上述した以外に、上要素の下端部にねじ挿通孔を１箇所のみないし３箇所以上設ける態様や、下要素にもねじ挿通孔を形成し、下要素の内部にめねじ孔を有する板ナット等のめねじ部材を固定して設け、上要素及び下要素のねじ挿通孔を順に挿通させた雄ねじ部材を前記めねじ部材に螺着する態様等が考えられる。
【００４７】
さらに、図１３に斜め後上方から見た全体斜視図を示すように、後方に位置する左右の脚支柱１１ｂには、前記アジャスタ１１ｃに代えて、キャスタ１８を設けるようにしてもよい。このようにすると、天板３を持ち上げる等して前方に位置する左右の脚支柱１１ａを床面から離間させることによりキャスタ１８を機能させて机の移動を容易に行うことができる。
【００４８】
加えて、このキャスタ１８に、下端に脚支柱１１ａの内径よりも大径な拡開部１８０ａを有し脚支柱１１ｂの下端中空部に圧入させる取付部材たる樹脂製のめねじ部材１８０と、このめねじ部材１８０に螺合させるねじ軸１８１ａを有するキャスタ本体１８１とを具備する図１４に示すような構造を採用するとなおよい。このようなものであれば、地震時に天板３に大きな衝撃が掛かり、床からの反力がめねじ部材１８０に加わった場合に、前記めねじ部材１８０の拡開部１８０ａが上述したアジャスタ１１ｃの拡開部１１０ａと同様に作用し、この結果、前記脚支柱１１ｂが圧潰されないようになり、退避空間を有効に確保することができる。
【００４９】
なお、後方に位置する脚支柱１１ｂでなく前方に位置する脚支柱１１ａに上述したキャスタ１８を設けてももちろんよい。また、下端に脚支柱１１ａ（１１ｂ）の内径よりも大径な拡開部及び下方に延伸するねじ軸を有する取付部材を脚支柱１１ａ（１１ｂ）の下端に圧入するとともに、キャスタ本体の上端にめねじ孔を設けて前記ねじ軸をこのめねじ孔に螺着する構成を採用してももちろんよい。
【００５０】
また、前記キャスタ１８は、上述した天板高さ変更機構Ａ１１３を有する脚支柱Ａ１１の下端にアジャスタＡ１１ｃに代えて設けるようにしてももちろんよい。
【００５１】
その他の構成、例えば支柱の太さや形状、掴まり手段の太さや形状、天板やパネルの材質等も、本発明の趣旨を逸脱しない範囲で種々変形が可能である。
【図面の簡単な説明】
【００５２】
【図１】本発明の一実施形態を斜め後上方から見た斜視図。
【図２】同実施形態を斜め前下方から見た斜視図。
【図３】同実施形態を斜め前上方から見た部分分解斜視図。
【図４】同実施形態の正面図。
【図５】同実施形態の左側面図。
【図６】同実施形態の一部省略した平面図。
【図７】同実施形態の変形例を示す図。
【図８】本発明の他の実施形態を斜め後上方から見た斜視図。
【図９】同実施形態の正面図。
【図１０】同実施形態の左側面図。
【図１１】同実施形態の脚支柱の要部の縦断面図。
【図１２】同実施形態の脚支柱の要部の横断面図。
【図１３】本発明の他の実施形態を斜め後上方から見た斜視図。
【図１４】同実施形態の脚支柱の要部の縦断面図。
【符号の説明】
【００５３】
１１ａ、１１ｂ…脚支柱
１２…幕板（フロントパネル）
１３…幕板（サイドパネル）
１４…掴まり手段
１２ｅ、１３ｅ…パンチング孔
Ｘ１…溶接継手
【図１】
2006158940.tif 000003
【図２】
2006158940.tif 000004
【図３】
2006158940.tif 000005
【図４】
2006158940.tif 000006
【図５】
2006158940.tif 000007
【図６】
2006158940.tif 000008
【図７】
2006158940.tif 000009
【図８】
2006158940.tif 000010
【図９】
2006158940.tif 000011
【図１０】
2006158940.tif 000012
【図１１】
2006158940.tif 000013
【図１２】
2006158940.tif 000014
【図１３】
2006158940.tif 000015
【図１４】
2006158940.tif 000016